(57)【要約】  製本物の端部が歪んだり、製本物の表紙が破れることがなく、製本物の端部を綺麗に断裁できる断裁機を提供する。テーブル１０に載せられた製本物１の端部１ａに対して、移動方向５６ａに微小間隔Ｘを置いて互いに平行に延設する第１および第２断裁位置１００，１０１が設定され、第１断裁位置１００は、第２断裁位置１０１より製本物１の外側に配置され、制御部７は、第１断裁位置１００で製本物１の端部１ａを断裁した後、断裁刃２０またはテーブル１０を微小間隔Ｘだけ移動方向５６ａに移動して、第２断裁位置１０１で製本物１の端部１ａを断裁するように、断裁刃駆動機構２１および移動機構５６の動作を制御する。
2013179380.tif 000002
【特許請求の範囲】
【請求項１】
製本物の縁部を断裁するための断裁機であって、
前記製本物を載せるためのテーブルと、
前記製本物の端部を断裁するための断裁刃と、
前記断裁刃を断裁位置と非断裁位置との間で往復運動させるための断裁刃駆動機構と、
前記断裁刃が延設する延設方向に対して直角する移動方向に、前記断裁刃または前記テーブルを移動させるための移動機構と、
前記断裁刃駆動機構および前記移動機構の動作を制御する制御部と、を備え、
前記テーブルに載せられた前記製本物の端部に、前記移動方向に所定の微小間隔を置いて互いに平行に延設する第１および第２断裁位置が設定され、
前記第１断裁位置は、前記第２断裁位置より前記製本物の外側に配置され、
前記制御部は、前記断裁刃によって前記第１断裁位置で前記製本物の端部を断裁した後、前記断裁刃または前記テーブルを前記微小間隔だけ前記移動方向に移動して、前記断裁刃によって前記第２断裁位置で前記製本物の端部を断裁するように、前記断裁刃駆動機構および前記移動機構の動作を制御することを特徴とする断裁機。
【請求項２】
前記断裁機は、前記テーブルを回転させて、前記製本物を天断裁位置、地断裁位置および小口断裁位置の３つの位置に配置し、前記天断裁位置で前記製本物の天辺縁部を断裁し、前記地断裁位置で前記製本物の地辺縁部を断裁し、前記小口断裁位置で前記製本物の小口辺縁部を断裁する三方断裁機であって、
前記制御部は、少なくとも前記天断裁位置および前記地断裁位置において、前記第１断裁位置および前記第２断裁位置で前記製本物の天辺端部および地辺縁部を断裁するように、前記断裁刃駆動機構および前記移動機構の動作を制御することを特徴とする請求項１に記載の断裁機。
【請求項３】
前記移動機構は、前記テーブルを移動せずに前記断裁刃を前記移動方向に移動することを特徴とする請求項１または２に記載の断裁機。
【請求項４】
前記断裁刃を往復運動可能に支持するフレームを備えており、
前記移動機構は、前記フレームに螺合され、前記移動方向に延設された送りネジと、前記送りネジを回転するためのモータと、を備え、
前記制御部は、前記モータの回転を制御して、前記フレームに支持された前記断裁刃を前記第１および第２位置に移動することを特徴とする請求項３に記載の断裁刃。
【請求項５】
前記微小間隔は、２〜３ｍｍであることを特徴とする請求項１〜４のいずれかに記載の断裁機。
【請求項６】
前記微小間隔の値の入力を受けるタッチスクリーンを備えており、
前記制御部は、前記タッチスクリーンから入力された前記微小間隔の値に基づいて、前記移動機構の動作を制御することを特徴とする請求項１〜５のいずれかに記載の断裁機。
【発明の詳細な説明】
【技術分野】
【０００１】
本発明は、製本工程に用いられて、製本の仕上げのために、製本物の天地および小口を断裁するための断裁機に関するものである。
【背景技術】
【０００２】
従来の断裁機として、例えば特許文献１に記載されたものがある。この断裁機は、上下方向に非断裁位置と断裁位置との間を往復運動する単一の断裁刃と、製本物を載せて位置決めするためのテーブルと、を備える。この断裁機では、作業者が、製本物をテーブルに載せて位置決めして、断裁刃を上方の非断裁位置から下方の断裁位置へ移動することで製本物の端部を断裁する。そして、作業者が、製本物を天断裁位置、地断裁位置および小口断裁位置に回転して、それぞれの位置で断裁刃を往復運動することで、製本物の天辺端部、地辺端部および小口辺端部を断裁する。これにより製本物の端部が綺麗に揃って、製本物の体裁が整えられる。【０００３】
別の従来の断裁機として、例えば特許文献２に記載されたものがある。この断裁機は、三方断裁機と呼ばれており、上下方向に非断裁位置と断裁位置との間を往復運動する単一の断裁刃と、製本物を載せて位置決めするためのテーブルと、このテーブルを回転するための回転機構と、を備える。この断裁機は、製本物を供給機構によってテーブルに供給し、テーブルに位置決めされた製本物を回転機構によって天断裁位置、地断裁位置および小口断裁位置に回転して、それぞれの位置で断裁刃が往復運動することで、製本物の天辺端部、地辺端部および小口端部を断裁する。【０００４】
上記した従来の断裁機では、１回だけ断裁刃を往復運動して、製本物の端部を断裁する。そのため、図７の通り、断裁される製本物１の端部１ａが長い場合に、断裁刃２０で製本物１の端部１ａを１回だけ断裁すると、製本物１の端部１ａが歪んだり、製本物１の表紙１ｆが破れたりすることがある。また、図８の通り、製本物１の各ページが二つ折りされた袋とじページであって、この袋とじページの折り部１ｇを断裁する場合、断裁刃２０で製本物１の端部１ａを１回だけ断裁すると、製本物１の端部１ａが綺麗に揃わないことがあった。このように、従来の断裁機では、製本物１の端部１ａを綺麗に断裁できないことがある。
【先行技術文献】
【特許文献】
【０００５】
【特許文献１】特開２００４−０６６３４７号公報
【特許文献２】米国特許第７４９３８４０号明細書
【発明の概要】
【発明が解決しようとする課題】
【０００６】
そこで、本発明が解決しようとする課題は、製本物の端部が歪んだり、製本物の表紙が破れることがなく、製本物の端部を綺麗に断裁できる断裁機を提供することである。
【課題を解決するための手段】
【０００７】
上記の課題を解決するために、本発明に係る断裁機は、
製本物の縁部を断裁するための断裁機であって、
製本物を載せるためのテーブルと、
製本物の端部を断裁するための断裁刃と、
断裁刃を断裁位置と非断裁位置との間で往復運動させるための断裁刃駆動機構と、
断裁刃が延設する延設方向に対して直角する移動方向に、断裁刃またはテーブルを移動させるための移動機構と、
断裁刃駆動機構および移動機構の動作を制御する制御部と、を備え、
テーブルに載せられた製本物の端部に、移動方向に所定の微小間隔を置いて互いに平行に延設する第１および第２断裁位置が設定され、
第１断裁位置は、第２断裁位置より製本物の外側に配置され、
制御部は、断裁刃によって第１断裁位置で製本物の端部を断裁した後、断裁刃またはテーブルを微小間隔だけ移動方向に移動して、断裁刃によって第２断裁位置で製本物の端部を断裁するように、断裁刃駆動機構および移動機構の動作を制御する。【０００８】
好ましくは、断裁機は、テーブルを回転させて、製本物を天断裁位置、地断裁位置および小口断裁位置の３つの位置に配置し、天断裁位置で製本物の天辺縁部を断裁し、地断裁位置で製本物の地辺縁部を断裁し、小口断裁位置で製本物の小口辺縁部を断裁する三方断裁機であって、
制御部は、少なくとも天断裁位置および地断裁位置において、第１断裁位置および第２断裁位置で製本物の天辺端部および地辺縁部を断裁するように、断裁刃駆動機構および移動機構の動作を制御する。【０００９】
好ましくは、移動機構は、テーブルを移動せずに断裁刃を移動方向に移動する。【００１０】
好ましくは、断裁刃を往復運動可能に支持するフレームを備えており、
移動機構は、フレームに螺合され、移動方向に延設された送りネジと、送りネジを回転するためのモータと、を備え、
制御部は、モータの回転を制御して、フレームに支持された断裁刃を第１および第２位置に移動する。【００１１】
好ましくは、微小間隔は、２〜３ｍｍである。【００１２】
好ましくは、微小間隔の値の入力を受けるタッチスクリーンを備えており、
制御部は、タッチスクリーンから入力された微小間隔の値に基づいて、移動機構の動作を制御する。
【発明の効果】
【００１３】
上記の通り、本発明に係る断裁機は、断裁刃を断裁位置と非断裁位置との間で往復運動するための断裁刃駆動機構と、断裁刃が延設する延設方向に対して直角する移動方向に、断裁刃またはテーブルを移動する移動機構と、断裁刃駆動機構および移動機構の動作を制御する制御部と、を備える。さらに、製本物の端部に移動方向に所定の微小間隔を置いて互いに平行に延設する第１および第２断裁位置が設定される。第１断裁位置は、第２断裁位置より製本物の外側に配置される。【００１４】
そして、制御部は、断裁刃によって第１断裁位置で製本物の端部を断裁した後、断裁刃またはテーブルを微小間隔だけ移動方向に移動して、断裁刃によって第２断裁位置で製本物の端部を断裁するように、断裁刃駆動機構および移動機構の動作を制御する。【００１５】
上記の通り、本発明に係る断裁機は、先ず、製本物の外側に設定された第１断裁位置で製本物の端部を断裁する。第１断裁位置で断裁された製本物の端部は、従来の断裁機と同様に、歪んだり、破れたりしていることがある。その後に、本発明に係る断裁機は、断裁刃またはテーブルを微小間隔だけ移動方向に移動して、製本物の内側に設定された第２断裁位置で製本物の端部をさらに断裁する。したがって、第１断裁位置で断裁された製本物の端部が、第２断裁位置でさらに断裁される。本発明に係る断裁機は、断裁刃またはテーブルを微小間隔だけ移動方向に移動して、断裁刃を２回往復運動するように構成されており、その結果、１回目の断裁によって形成された歪んだ製本物の端部を、２回目の断裁で取り除くことができ、その結果、製本物の端部を綺麗に揃えることができる。
【図面の簡単な説明】
【００１６】
【図１】本発明に係る断裁機の第１実施形態の構成を概略的に示す斜視図であり、製本物が製本物供給ユニットの製本物積載テーブルから送り出される前の状態を示す。
【図２】図１の断裁機を示す斜視図であり、製本物が回転テーブルユニットのテーブル上において位置決めされる状態を示す。
【図３】本発明に係る断裁機の断裁工程を説明するための平面図であり、（Ａ）は断裁刃が待機位置に配置されている状態、（Ｂ）は断裁刃が第１断裁位置に配置されている状態、（Ｃ）は断裁刃が第２断裁位置に配置されている状態を示す。
【図４】図３の断裁工程を示す側面図であり、（Ａ）は断裁刃が待機位置に配置されている状態、（Ｂ）は断裁刃が第１断裁位置に配置されている状態、（Ｃ）は断裁刃が第２断裁位置に配置されている状態を示す。
【図５】タッチスクリーンの設定画面を示す正面図であり、（Ａ）は第１設定画面を示し、（Ｂ）は第２設定画面を示す。
【図６】本発明に係る断裁機の第２実施形態の構成を概略的に示す斜視図である。
【図７】従来の断裁機の断裁工程を説明するための図である。
【図８】従来の断裁機の断裁工程を説明するための図である。
【発明を実施するための形態】
【００１７】
以下、図面に基づいて、本発明に係る断裁機について説明する。
【００１８】
［構成］
図１および図２に基づいて、断裁機の構成について説明する。
断裁機は、製本物１を順次送出する製本物供給ユニット２と、製本物供給ユニット２から製本物１を所定の位置で受け取って位置決めし、それを保持して所定の角度ずつ回転させ、天断裁位置、小口断裁位置および地断裁位置の３つの位置に配置する回転テーブルユニット３と、回転テーブルユニット３に対して近づきまたは遠ざかる方向に移動可能に配置される断裁ユニット４と、を備える。断裁ユニット４は、回転テーブルユニット３に近接し、製本物１の天辺縁部１ａ、地辺縁部１ｂおよび小口辺縁部１ｃをそれぞれ断裁するための第１および第２断裁位置と、回転テーブルユニット３から離れた待機位置との間で移動するように構成されている。
【００１９】
製本物供給ユニット２は、その上に製本物１のスタックが置かれる製本物積載テーブル２４を備えている。回転テーブルユニット３および製本物積載テーブル２４の間には搬送路２５がのび、搬送路２５の排出端は回転テーブルユニット３に隣接する一方、供給端の側部が製本物積載テーブル２４に隣接している。
【００２０】
製本物供給ユニット２は、また、製本物積載テーブル２４から製本物１を、１冊ずつ、搬送路２５上まで、製本物の搬送方向に対して直角方向に送り出す製本物送出機構を備えている。製本物送出機構は、製本物積載テーブル２４の両側から搬送路２５を横切って、搬送路２５に直角にのびる一対のエンドレスベルト３９と、エンドレスベルト３９の両端が掛け渡されたローラー４０ａ，４０ｂを有している。一対のエンドレスベルト３９には、実質上逆Ｕ字形状の支持バー４４が取り付けられ、支持バー４４には、その長さ方向に間隔をあけて吸引ヘッド４３が下向きに取り付けられている。こうして、一列の吸引ヘッド４３が、モータ４１の駆動によって、搬送路２５に直角な方向に沿って、製本物載置テーブル２４および搬送路２５の間において往復運動するようになっている。
【００２１】
製本物供給ユニット２は、さらに、搬送路２５上において、製本物送出機構から受け渡された製本物１を、搬送路２５に沿って回転テーブルユニット３まで搬送する製本物搬送機構を備えている。製本物搬送機構は、搬送路２５の上方において、搬送路２５に沿ってのび、フレーム３８に回転運動可能に支持されたエンドレスベルト４５を有している。エンドレスベルト４５は、フレーム３８に取り付けられたモータ４６によって回転駆動される。エンドレスベルト４５には、チャック４７が吊り下げ状態で固定され、チャック４７は、モータ４６の駆動によって、搬送路２５上を、製本物積載テーブル２４およびテーブル１０の間において往復運動するようになっている。
【００２２】
こうして、製本物積載テーブル２４上に置かれた製本物１が、一冊ずつ、一列の吸引ヘッド４３によって吸着された後、搬送路２５上まで、製本物１の搬送方向に対して直角方向にその背１ｄを先頭にして送り出される。この位置において、製本物１はチャック４７によって把持される。このとき、チャック４７の面３３が製本物１の地１ｂに当接する。そして、一列の吸引ヘッド４３による吸着が解除されて、製本物１がチャック４７に受け渡される。その後、チャック４７は、搬送路２５上を回転テーブルユニット３に向かって移動し、製本物１の天１ａが第２の垂直板３２に当接したとき、運動を停止する。それによって、製本物１は、テーブル１０上における天地方向の位置決めがなされる（図２参照）。
【００２３】
回転テーブルユニット３は、基台９と、製本物１の天辺縁部１ａ、地辺縁部１ｂおよび小口辺縁部１ｃを除いた部分の下面を支持する上面を有し、その上に製本物１が置かれる長方形のテーブル１０と、テーブル１０の上面に置かれた製本物１を位置決めする位置決め手段と、を備えている。
【００２４】
この実施例では、位置決め手段は、テーブル１０の一側縁に配置された、製本物１の背１ｄが当接する第１の垂直板３０を備えている。第１の垂直板３０は、テーブル１０の下面に取り付けられたスライド駆動機構（不図示）に連結されている。また、位置決め手段は、製本物１の天１ａが当接する第２の垂直板３２を備えている。第２の垂直板３２は、基台９に支持されたモータ３４によって回転駆動される送りネジ３５に取り付けられている。こうして、第１および第２の垂直板３０，３２はそれぞれテーブル１０に対して近づきまたは遠ざかる方向に運動可能になっていて、製本物供給ユニット２から送出される製本物１のサイズおよび受取位置に対応して、予め決定された位置に静止している（図１参照）。
【００２５】
位置決め手段は、さらに、テーブル１０を挟んで第１の垂直板３０に対向して配置された、製本物１の小口１ｃに当接する第３の垂直板３１を備えている。第３の垂直板３１は、第２の垂直板３２と同様、基台９にモータ３６によって回転駆動される送りネジ３７に取り付けられ、テーブル１０に対して近づきまたは遠ざかる方向に運動可能になっている。第３の垂直板３１は、テーブル１０上に製本物１が置かれたとき、製本物１に近づく向きに、製本物１の背１ｄが第１の垂直板３０に当接し、かつ第３の垂直板３１が小口１ｃに当接するまで移動する。これによって、テーブル１０上に置かれた製本物１の背および小口方向の位置決めがなされる（図２参照）。
【００２６】
製本物供給ユニット２のチャック４７における製本物１の地１ｂに当接する面３３が、また位置決め手段の一部として機能し、第２の垂直板３２とともに製本物１の天地方向の位置決めを行う（図２参照）。
【００２７】
テーブル１０の下面には、垂直な回転軸１２が突設され、この回転軸１２は、基台９に取り付けられた軸受け１３によって回転可能に支持されている。回転軸１２には、モータ１４が連結され、このモータ１４の駆動によって、テーブル１０が回転するようになっている。
【００２８】
また、テーブル１０の上方であって回転軸１２に対向する位置には、プレス板１５が昇降運動可能に配置され、このプレス板１５は、製本物１から間隔をあけた待機位置と、製本物１をテーブル１０に押しつけるプレス位置と、を移動するようになっている。プレス板１５は、基台９に支持されたピストン−シリンダ装置１６に、プレス位置においてテーブル１０および製本物１とともに回転可能に取り付けられ、ピストン−シリンダ装置１６の駆動によって待機位置およびプレス位置の間において往復運動する。
【００２９】
プレス板１５は、位置決め手段３０，３１，３２，３３による製本物１の位置決めがなされた後、プレス位置に移動し、製本物１をテーブル１０上に固定する。プレス板１５がプレス位置に配置された後、位置決め手段の第３の垂直板３１およびチャック４７（面３３）は、製本物１から離れ、製本物１の回転運動を妨げないようになっている。
【００３０】
断裁ユニット４は、フレーム１７を備えている。フレーム１７には断裁テーブルエレメント１８が取り付けられている。断裁テーブルエレメント１８は、断裁ユニット４が第１および第２断裁位置に配置されるとき、回転テーブルユニット３のテーブル１０上に置かれた製本物１の天辺縁部１ａ、地辺縁部１ｂまたは小口辺縁部１ｃを下側から支持する。断裁テーブルエレメント１８の上面には、刃受け板１９が固定されている。
【００３１】
断裁テーブルエレメント１８の上方における刃受け板１９に対向する位置には、断裁刃２０が昇降運動可能に配置される。断裁刃２０は、刃受け板１９から間隔をあけた非断裁位置と、刃先を刃受け板１９に押しつける断裁位置をとるようになっている。フレーム１７には断裁刃駆動機構２１が取り付けられ、断裁刃２０を、断裁位置と非断裁位置との間において往復運動させるようになっている。
【００３２】
断裁テーブルエレメント１８の上方に固定板２２が昇降運動可能に配置され、製本物１から間隔をあけた非固定位置と、製本物１を断裁テーブルエレメント１８に押しつける固定位置とに移動するようになっている。固定板２２は、固定板駆動機構２３によって、固定位置および非固定位置の間において往復運動する。断裁刃２０が非断裁位置から断裁位置に運動するとき、固定板２２が固定位置に配置され、断裁刃２０が断裁位置から非断裁位置に運動するとき、固定板２２が非固定位置に配置されるようになっている。
【００３３】
回転テーブルユニット３および断裁ユニット４の間には、２本の送りネジ５が間隔をあけて水平に配置される。送りネジ５は、別のフレーム（メインフレーム）３８に固定された支持部材（不図示）に回転可能に取り付けられ、断裁ユニット４のフレーム１７が係合している。送りネジ５は、フレーム３８に取り付けられたモータ６の駆動軸に連結され、モータ６によって送りネジ５が回転駆動される。そして、送りネジ５およびモータ６によって、移動機構５６が構成される。この移動機構５６によって、断裁ユニット４が、送りネジ５の軸方向に沿って、第１および第２断裁位置と待機位置との間において運動する。
【００３４】
また、回転テーブルユニット３、断裁ユニット４および移動機構５６（モータ６）等の動作を制御する制御ユニット（制御部）７が備えられる。制御ユニット７は、製本物１が天断裁位置、小口断裁位置および地断裁位置に配置される度に、断裁ユニット４が待機位置から第１および第２断裁位置に移動して製本物１の天辺縁部１ａ、小口辺縁部１ｃおよび地辺縁部１ｂをそれぞれ断裁するように制御する。さらに、制御ユニット７には、タッチスクリーン７０が接続されており、作業者はタッチスクリーン７０を介して動作の設定ができるようになっている。
【００３５】
［断裁工程］
図３〜図５に基づいて、製本物１の天辺縁部１ａを断裁する工程について詳細に説明する。
図３および図４の通り、断裁機は、製本物１の天辺縁部１ａを断裁するとき、製本物１の天辺端部１ａに、第１断裁位置１００および第２断裁位置１０１が設定される。第１断裁位置１００は、第２断裁位置１０１より製本物１の外側に配置される。第１および第２断裁位置１００，１０１は、所定の微小間隔Ｘを置いて、互いに平行に配置されている。微小間隔Ｘは、１〜５ｍｍ、好ましくは２〜３ｍｍで設定される。そして、断裁機は、断裁刃２０を使って、第１および第２断裁位置１００，１０１で製本物１の天辺端部１ａを断裁する。
【００３６】
図５（Ａ）の通り、タッチスクリーン７０に表示される第１設定画面を通じて、作業者は１回断裁又は２回断裁を設定できる。第１設定画面内のオンボタン７０ａを押すと、断裁刃２０が第１および第２断裁位置１００，１０１で製本物１を断裁するように制御ユニット７が設定される。また、第１設定画面内のオフボタン７０ｂを押すと、断裁刃２０が第１断裁位置１００のみで断裁するように制御ユニット７が設定される。また、第１設定画面の入力領域７０ｃには、微小間隔Ｘの値（例えば２．０ｍｍ）を入力できるようになっている。
【００３７】
図５（Ｂ）の通り、タッチスクリーン７０に第２設定画面が表示されるとき、第２設定画面の入力領域７０ｅには、断裁前の製本物１の幅寸法（天部１ａと地部１ｂとの間の寸法）を入力できる。第２設定画面の入力領域７０ｆには、断裁後の製本物１の幅寸法（天地部１ａと地部１ｂとの間の寸法）を入力できる。第２設定画面の入力領域７０ｇには、製本物１の天辺縁部１ａにおける断裁前と断裁後の間の寸法を入力できる。第２設定画面の入力領域７０ｈには、断裁前の製本物１の長さ寸法（小口部１ｃと背部１ｄとの間の寸法）を入力できる。第２設定画面の入力領域７０ｉには、断裁後の製本物１の長さ寸法（小口部１ｃと背部１ｄとの間の寸法）を入力できる。
【００３８】
そして、第１設定画面のオンボタン７０ａが押されると、オンボタン７０ａが点灯するとともに、第２設定画面の入力領域７０ｆの上の領域７０ｄに「２」が表示され、作業者は２回断裁が設定されていることが簡単に判る。また、第１設定画面のオフボタン７０ｂが押されると、オフボタン７０ｂが点灯するとともに、第２設定画面の入力領域７０ｆの上の領域７０ｄに「１」が表示され、作業者は１回断裁が設定されていることが簡単に判る。
【００３９】
先ず、図３（Ａ）の通り、製本物１の天辺縁部１ａが断裁刃２０と平行に配置されるように、回転テーブルユニット３がテーブル１０を回転して、製本物１を天断裁位置に配置する。このとき、断裁ユニット４（断裁刃２０）は、製本物１の天辺縁部１ａから離れた待機位置に配置されている。また、図４（Ａ）の通り、断裁刃２０は、製本物１の上方の非断裁位置に配置されている。固定板２２は、製本物１の上方の非固定位置に配置されている。
【００４０】
次に、図３（Ｂ）の通り、移動機構５６によって、断裁ユニット４（断裁刃２０）が、断裁刃２０の延設方向２０ａに対して直角する移動方向５６ａに移動する。そして、断裁刃２０が第１断裁位置１００の真上に配置される。このとき、断裁刃２０は、製本物１の上方の非断裁位置に配置され、固定板２２は、製本物１の上方の非固定位置に配置されている。そして、図４（Ｂ）の通り、固定板駆動機構２３によって、固定板２２が下方の固定位置に移動して、製本物１を断裁テーブルエレメント１８に押し付ける。その後、断裁刃駆動機構２１によって、断裁刃２０が下方の断裁位置に移動して、刃先を刃受け板１９に押しつける。これによって、製本物１の天辺縁部１ａは、第１断裁位置１００で断裁される。
【００４１】
そして、断裁刃駆動機構２１によって、断裁刃２０は、製本物１から離れた上方の非断裁位置に移動する。さらに、固定板駆動機構２３によって、固定板２２は、製本物１から離れた上方の非固定位置に移動する。
【００４２】
次に、図３（Ｃ）の通り、移動機構５６によって、断裁ユニット４（断裁刃２０）が移動方向５６ａに微小間隔Ｘだけ移動する。そして、断裁刃２０が第２断裁位置１０１の真上に配置される。このとき、断裁刃２０は、製本物１の上方の非断裁位置に配置され、固定板２２は、製本物１の上方の非固定位置に配置されている。そして、図４（Ｃ）の通り、固定板駆動機構２３によって、固定板２２が下方の固定位置に移動して、製本物１を断裁テーブルエレメント１８に押し付ける。その後、断裁刃駆動機構２１によって、断裁刃２０が下方の断裁位置に移動して、刃先を刃受け板１９に押しつける。これによって、製本物１の天辺縁部１ａは、第２断裁位置１０１で断裁される。
【００４３】
上記と同様の工程を経ることで、製本物１の地辺端部１ｂも第１および第２断裁位置１００，１０１で断裁される。その結果、製本物１の幅寸法（天部１ａと地部１ｂとの間の寸法）は、第２設定画面の入力領域７０ｆ（図５（Ｂ）参照）に入力された値となる。
本実施形態では、製本物１の小口縁部１ｃは１回だけ断裁されるが、上記と同様の工程を経て、製本物１の小口縁部１ｃも第１および第２断裁位置１００，１０１で２回断裁するように構成してもよい。
【００４４】
［第２実施形態］
図６は、本発明の第２実施形態による断裁機の要部の構成を概略的に示す斜視図である。上記の第１実施形態では、断裁ユニット４（断裁刃２０）を移動方向５６ａに移動することで、断裁刃２０を製本物１の第１および第２断裁位置１００，１０１の真上に配置しているのに対し、この第２実施形態では、製本物１が載置されたテーブル１０を移動方向５６ａに移動することで、断裁刃２０を製本物１の第１および第２断裁位置１００，１０１の真上に配置する。したがって、図５において、図１と同じ構成要素には同一番号を付し、詳細な説明を省略する。
【００４５】
図６の通り、この実施形態では、回転テーブルユニット３において、テーブル１０の回転軸（不図示）を回転可能に支持する軸受け（不図示）が、可動ブロック５２に固定される。可動ブロック５２は、ネジ溝を備えた貫通孔を有し、この貫通孔には、移動方向５６ａに平行にのびる送りネジ５１が係合している。送りネジ５１は、支持部材９ａ，９ｂによって基台９に軸のまわりに回転可能に取り付けられている。また、テーブル１０の回転軸を回転駆動させるモータ１４は、可動ブロック５２に固定され、可動ブロック５２とともに運動するようになっている。さらに、支持部材９ａにはモータ５０が固定され、モータ５０の駆動軸は送りネジ５１に連結される。そして、モータ５０の駆動によって可動ブロック５２が往復運動し、それによって、テーブル１０が、水平方向に、移動方向５６ａに沿って往復運動するようになっている。そして、製本物１が載置されたテーブル１０を移動方向５６ａに移動することで、断裁刃２０が製本物１の第１および第２断裁位置１００，１０１の真上に配置され、それによって、製本物１の天地辺縁部１ａ，１ｂは、第１および第２断裁位置１００，１０１で断裁される。
【００４６】
［第３実施形態］
上記第１および第２実施形態の断裁機は、テーブル１０が回転することで、製本物１を天断裁位置、地断裁位置および小口断裁位置に配置する三方断裁機である。図示しない第３実施形態の断裁機では、作業者自身が製本物１を回転して、製本物１を天断裁位置、地断裁位置および小口断裁位置に配置するものである。テーブルに載せられた製本物１が位置決めされた後、断裁工程を開始すると、断裁刃２０が第１断裁位置１００に配置されて製本物１を断裁した後、断裁刃２０を備えた断裁ユニット４が微小間隔Ｘだけ移動方向５６ａに移動して、断裁刃２０が第２断裁位置１０１に配置されて製本物１を断裁する。このように、断裁刃２０が微小間隔Ｘだけ自動的に移動して２回断裁することで、製本物１の天辺縁部１ａ、地辺縁部１ｂ，小口辺縁部１ｃを第１および第２断裁位置１００，１０１で断裁できる。
【００４７】
第１〜第３実施形態の通り、本発明の断裁機は、先ず、製本物１の外側に設定された第１断裁位置１００で製本物１の天地辺端部１ａ，１ｂを断裁する。第１断裁位置１００で断裁された製本物１の天地辺端部１ａ，１ｂは、歪んだり破れたりすることがある。その後に、本発明に係る断裁機は、製本物１の内側に設定された第２断裁位置１０１で製本物１の天地辺端部１ａ，１ｂをさらに断裁する。したがって、第１断裁位置１００で断裁された製本物１の天地辺端部１ａ，１ｂを、第２断裁位置１０１でさらに断裁する。したがって、本発明に係る断裁機では、１回目の断裁によって製本物１の天地辺端部１ａ，１ｂが歪んだり破れても、その部分を２回目の断裁で取り除くことができるので、製本物１の天地辺縁部１ａ，１ｂを綺麗に揃えることができる。
【００４８】
また、各ページが二つ折された袋とじページである場合には、本発明の断裁機は、製本物１の小口辺縁部１ｃも第１および第２断裁位置１００，１０１で断裁する。この場合、本発明の断裁機は、先ず、製本物１の外側に設定された第１断裁位置１００で製本物１の小口辺縁部１ｃを断裁する。第１断裁位置１００で断裁された製本物１の小口辺縁部１ｃは綺麗に揃わないことがある。その後に、本発明に係る断裁機は、製本物１の内側に設定された第２断裁位置１０１で製本物１の小口辺縁部１ｃをさらに断裁する。したがって、第１断裁位置１００で断裁された製本物１の小口辺縁部１ｃを、第２断裁位置１０１でさらに断裁する。したがって、本発明に係る断裁機では、１回目の断裁によって製本物１の小口辺縁部１ｃが綺麗に揃っていなくても、その部分を２回目の断裁で取り除くことができるので、製本物１の小口辺縁部１ｃを綺麗に揃えることができる。
【符号の説明】
【００４９】
１  製本物
１ａ  製本物の天辺端部
１ｂ  製本物の地辺端部
１ｃ  製本物の小口辺端部
１０  テーブル
２０  断裁刃
２０ａ  断裁刃の延設方向
２１  断裁刃駆動機構
５６  移動機構
５６ａ  断裁刃の移動方向
５  送りネジ
６  モータ
７  制御部
７０  タッチスクリーン
１７  フレーム
１００  第１断裁位置
１０１  第２断裁位置
Ｘ  微小間隔
【図１】
2013179380.tif 000003
【図２】
2013179380.tif 000004
【図３】
2013179380.tif 000005
【図４】
2013179380.tif 000006
【図５】
2013179380.tif 000007
【図６】
2013179380.tif 000008
【図７】
2013179380.tif 000009
【図８】
2013179380.tif 000010
【国際調査報告】
2013179380.tif 000011
2013179380.tif 000012